(57)【要約】【課題】レンズ保持枠に組み付ける際のレンズの位置調整を容易に行うことで、光学系の光学性能の低下を抑制する。【解決手段】レンズ枠２３が保持された第２治具５３を移動させて、第８レンズ群３１が保持されたレンズ枠を第３保持枠２０の内部に挿入する。その後、光源５６から照射され、チャート５５を透過することで変換された画像光を、第８レンズ群３１、第７レンズ群、・・・第２レンズ群、第１レンズ群の順で透過させ、スクリーン５１上に投影させる。スクリーン５１に投影された像を参照して、位置調整機構６８による第８レンズ群３１の偏心調整を行う。そして、偏心調整を行った後、注入装置７０を作動させて、第３保持枠２０の開口３９から接着剤を注入し、レンズ枠２３を固定する。【選択図】図４
2007155761.tif 000002
【特許請求の範囲】
【請求項１】
複数のレンズがレンズ保持枠に固定されたレンズ鏡筒において、
前記複数のレンズの少なくとも一部のレンズが、前記レンズ保持枠に対して空間的に離され、該レンズとレンズ保持枠との間に設けられた隙間を埋めるように充填された接着剤によって、前記レンズが前記レンズ保持枠に一体化されたことを特徴とするレンズ鏡筒。
【請求項２】
複数のレンズがレンズ保持枠に固定されたレンズ鏡筒において、
前記複数のレンズの少なくとも一部のレンズを保持したレンズ枠が、前記レンズ保持枠に対して空間的に離され、該レンズ枠とレンズ保持枠との間に設けられた隙間を埋めるように充填された接着剤によって、前記レンズ枠が前記レンズ保持枠に一体化されたことを特徴とするレンズ鏡筒。
【請求項３】
前記レンズ保持枠に貫通穴を設け、この貫通穴から注入された接着剤によって、前記レンズの外周、又は前記レンズ枠の外壁が、前記レンズ保持枠の内壁に固定されることを特徴とする請求項１又は２記載のレンズ鏡筒。
【請求項４】
複数のレンズをレンズ保持枠に固定する方法において、
前記複数のレンズの少なくとも一部のレンズが固定された治具を、残りのレンズが保持されたレンズ保持枠を固定した治具に向けて移動させ、前記移動させた治具に保持されるレンズを、前記レンズ保持枠の内壁に当接しないように前記レンズ保持枠の内部に挿入した状態で、前記複数のレンズを介してスクリーンに画像を投影し、この投影された画像を参照しながら前記レンズ保持枠に挿入されたレンズを、前記レンズ保持枠に固定されたレンズの光軸方向と平行な方向、或いは前記光軸方向と直交する方向に、且つ、前記レンズ保持枠の内壁と当接しない範囲で位置調整した後、前記位置調整されたレンズと前記レンズ保持枠との間に設けられた隙間に接着剤を充填することで、前記レンズをレンズ保持枠に接着固定することを特徴とするレンズの固定方法。
【請求項５】
前記レンズは、前記複数のレンズの少なくとも一部のレンズと、これらレンズを保持するレンズ枠とから構成されていることを特徴とする請求項４記載のレンズの固定方法。
【請求項６】
前記レンズ保持枠に貫通穴を設け、この貫通穴から注入された接着剤によって前記レンズの外周、又はレンズ枠の外壁が前記レンズ保持枠の内壁に固定されることを特徴とする請求項４又は５記載のレンズの固定方法。
【請求項７】
複数のレンズをレンズ保持枠に固定する固定装置において、
前記複数のレンズの少なくとも一部のレンズを固定する第１の治具と、
前記複数のレンズのうち、残りのレンズが保持されたレンズ保持枠を固定する第２治具と、
前記レンズ保持枠の内壁に当接しないように前記レンズ保持枠の内部に挿入されたレンズを、前記レンズ保持枠に固定されたレンズの光軸方向と平行な方向、或いは前記光軸方向と直交する方向に、且つ、前記レンズ保持枠の内壁と当接しない範囲で移動させるように、前記第１の治具の位置調整を行う位置調整機構と、
前記位置調整されたレンズと前記レンズ保持枠との間に設けられた隙間に接着剤を充填する注入装置とを備えたことを特徴とするレンズの固定装置。
【発明の詳細な説明】
【技術分野】
【０００１】
本発明は、例えばプロジェクタ等に組み込まれるレンズ鏡筒、また、このレンズ鏡筒に組み込まれるレンズの固定方法、及び固定装置に関するものである。
【背景技術】
【０００２】
プロジェクタ、デジタルカメラ、銀塩カメラ等に用いられる光学系は、複数の光学レンズから構成されているのが一般的である。これら複数の光学レンズは、光軸が一致するように、それぞれ保持枠に固定されるのが理想的である。しかしながら、保持枠の製品精度や、複数の光学レンズを保持枠に組み付ける際の組み付け精度が悪いと、組み付けられる光学レンズが偏心しまうため、光学系全体の光学性能が低下することになる。
【０００３】
このような光学系全体の光学性能の低下を防止する方法として、例えば、第１のレンズ群を保持する第１の保持部材の外周面と、第２のレンズ群を保持する第２の保持部材の内周面のそれぞれに、所定間隔（或いは所定角度）を空けて突部を設け、第１の保持部材を第２の保持部材に組み付ける際に、第１の保持部材の突部と、第２の保持部材の突部とが当接させるように第１の保持部材を第２の保持部材に嵌合させて、第１のレンズ群が偏心している場合には、第１の保持部材を光軸中心で回転させて、第１の保持部材の突部と、第２の保持部材の突部との当接を解除し、第１の保持部材を光軸方向と直交する平面上で位置調整することが提案されている。（特許文献１参照）。
【０００４】
また、この他に、レンズ保持枠に組み付けられた連結板と、光学レンズを保持する保持板とを複数のビスを用いて固定する際に、これらビスを保持板の挿通穴、バネ座金の順に挿通させた後、ビスを連結板に設けられたネジ孔に螺合させることが提案されている（特許文献２参照）。これにより、ビスによる仮止めの際には、光軸方向に直交する平面上で保持板を位置調整することで偏心調整を行うことができるとともに、ビスの締め量、或いはビスの緩め量を変化させることによって、保持板に保持された光学レンズの倒れ調整を行うことが可能となる。
【特許文献１】特開平８−３２７８７０号公報
【特許文献２】特開２００２−１９６２０４号公報
【発明の開示】
【発明が解決しようとする課題】
【０００５】
しかしながら、特許文献１に記載の調整方法の場合、第１の保持部材は、第２の保持部材に当接した状態で組み付けられるため、例えば第１の保持部材と、第２の保持部材とのそれぞれの当接面における精度が悪いと、第１の保持部材に保持された第１のレンズ群の偏心が生じる他に、第２のレンズ群に対する第１のレンズ群の相対距離が合わなくなり、光学系全体の光学性能が低下するという問題がある。また、特許文献２に記載の調整方法の場合、光学レンズの位置調整を行った後に、倒れ調整を行うことになるが、ビスの緩め量を変化させた際に、保持板が光軸方向と直交する平面上で位置ズレを起こす場合があり、高い光学性能が求められる光学系においては、有効な偏心調整とは言い難いのが現状である。
【０００６】
本発明は、上記課題を解決するためになされたものであり、レンズ保持枠に組み付ける際のレンズの位置調整を容易に行うことで、光学系の光学性能の低下を抑制することができるようにしたレンズ鏡筒、レンズの固定方法及びレンズの固定装置を提供することを目的とする。
【課題を解決するための手段】
【０００７】
本発明のレンズ鏡筒としては、複数のレンズがレンズ保持枠に固定されたレンズ鏡筒において、前記複数のレンズの少なくとも一部のレンズが、前記レンズ保持枠に対して空間的に離され、該レンズとレンズ保持枠との間に設けられた隙間を埋めるように充填された接着剤によって、前記レンズが前記レンズ保持枠に一体化されたことを特徴とする。
【０００８】
また、本発明のレンズ鏡筒としては、複数のレンズがレンズ保持枠に固定されたレンズ鏡筒において、前記複数のレンズの少なくとも一部のレンズを保持したレンズ枠が、前記レンズ保持枠に対して空間的に離され、該レンズ枠とレンズ保持枠との間に設けられた隙間を埋めるように充填された接着剤によって、前記レンズ枠が前記レンズ保持枠に一体化されたことを特徴とする。
【０００９】
また、前記レンズ保持枠に貫通穴を設け、この貫通穴から注入された接着剤によって、前記レンズの外周、又は前記レンズ枠の外壁が、前記レンズ保持枠の内壁に固定されることを特徴とする。
【００１０】
また、本発明のレンズの固定方法としては、複数のレンズをレンズ保持枠に固定する方法において、前記複数のレンズの少なくとも一部のレンズが固定された治具を、残りのレンズが保持されたレンズ保持枠を固定した治具に向けて移動させ、前記移動させた治具に保持されるレンズを、前記レンズ保持枠の内壁に当接しないように前記レンズ保持枠の内部に挿入した状態で、前記複数のレンズを介してスクリーンに画像を投影し、この投影された画像を参照しながら前記レンズ保持枠に挿入されたレンズを、前記レンズ保持枠に固定されたレンズの光軸方向と平行な方向、或いは前記光軸方向と直交する方向に、且つ、前記レンズ保持枠の内壁と当接しない範囲で位置調整した後、前記位置調整されたレンズと前記レンズ保持枠との間に設けられた隙間に接着剤を充填することで、前記レンズをレンズ保持枠に接着固定することを特徴とする。
【００１１】
また、前記レンズは、前記複数のレンズの少なくとも一部のレンズと、これらレンズを保持するレンズ枠とから構成されていることを特徴とする。
【００１２】
また、前記レンズ保持枠に貫通穴を設け、この貫通穴から注入された接着剤によって前記レンズの外周、又はレンズ枠の外壁が前記レンズ保持枠の内壁に固定されることを特徴とする。
【００１３】
本発明のレンズの固定装置としては、複数のレンズをレンズ保持枠に固定する固定装置において、前記複数のレンズの少なくとも一部のレンズを固定する第１の治具と、前記複数のレンズのうち、残りのレンズが保持されたレンズ保持枠を固定する第２治具と、前記レンズ保持枠の内壁に当接しないように前記レンズ保持枠の内部に挿入されたレンズを、前記レンズ保持枠に固定されたレンズの光軸方向と平行な方向、或いは前記光軸方向と直交する方向に、且つ、前記レンズ保持枠の内壁と当接しない範囲で移動させるように、前記第１の治具の位置調整を行う位置調整機構と、前記位置調整されたレンズと前記レンズ保持枠との間に設けられた隙間に接着剤を充填する注入装置とを備えたことを特徴とする。
【発明の効果】
【００１４】
本発明のレンズ鏡筒によれば、複数のレンズがレンズ保持枠に固定されたレンズ鏡筒において、前記複数のレンズの少なくとも一部のレンズが、前記レンズ保持枠に対して空間的に離され、該レンズとレンズ保持枠との間に設けられた隙間を埋めるように充填された接着剤によって、前記レンズが前記レンズ保持枠に一体化されたから、予めレンズ保持枠にレンズを組み付ける際の基準面を設ける必要がないので、レンズ保持枠の精度が悪い場合であっても、レンズ鏡筒としての光学性能の低下を抑制することができる。
【００１５】
また、本発明のレンズ鏡筒によれば、複数のレンズがレンズ保持枠に固定されたレンズ鏡筒において、前記複数のレンズの少なくとも一部のレンズを保持したレンズ枠が、前記レンズ保持枠に対して空間的に離され、該レンズ枠とレンズ保持枠との間に設けられた隙間を埋めるように充填された接着剤によって、前記レンズ枠が前記レンズ保持枠に一体化されたから、予めレンズ保持枠にレンズを組み付ける際の基準面を設ける必要がないので、レンズ保持枠の精度が悪い場合であっても、レンズ鏡筒としての光学性能の低下を抑制することができる。
【００１６】
また、前記レンズ保持枠に貫通穴を設け、この貫通穴から注入された接着剤によって、前記レンズの外周、又は前記レンズ枠の外壁が、前記レンズ保持枠の内壁に固定されるので、接着剤がレンズの光入射面、又は光出射面に影響することを防止することができるので、製造されたレンズ鏡筒の光学性能の低下を抑制することができる。
【発明を実施するための最良の形態】
【００１７】
図１において、リアプロジェクタ１０は、画像が投映される透過型のスクリーン１１と、照明光から画像光を生成して出射するプロジェクタユニット１２と、プロジェクタユニット１２から出射した画像光をスクリーン１１に向けて反射する背面鏡１３とを備えている。
【００１８】
プロジェクタユニット１２及び背面鏡１３は筐体１４の内部に設けられ、スクリーン１１は筐体１４の開口部（図示せず）に設けられている。スクリーン１１は、水平方向に長辺を有する矩形状をしている。スクリーン１１にはその裏側から画像光が照射され、投映された画像は表側から鑑賞される。背面鏡１３は、上辺が長く、下辺が短い台形状をしており、スクリーン１１に対して傾斜している。
【００１９】
プロジェクタユニット１２の概略は、図２に示すように、レンズ鏡筒１６と画像光生成部１７とを備えている。画像光生成部１７は、光源から照射された照明光のエネルギー分布をロッドインテグレーター等の導光手段で均一化した照明光を受光して光変調することにより画像光を生成する。レンズ鏡筒１６は、画像光生成部１７で生成した画像光をスクリーン１１に投映させる。
【００２０】
レンズ鏡筒１６は、第１保持枠１８、第２保持枠１９、第３保持枠２０、第１間隔環２１、レンズ枠２３、第１〜第８レンズ群２４〜３１とから構成されている。第１保持枠１８は、スクリーン側から順に第１〜第３レンズ群２４〜２６を保持している。なお、符号３２はフランジであり、後述する固定装置５０の第１治具５２に固定する際に、フランジ３２の後面（画像光生成部側の面）３２ａと、第１治具５２の取り付け面５２ｂとが当接される。
【００２１】
第２保持枠１９は、第１保持枠１８の後端（画像光生成部側）に取り付けられており、スクリーン１１側から順に第４〜第７レンズ群２７〜３０を保持している。第２保持枠１９は、スクリーン１１側の端部でかつ内に向けて突出した受け部３５が設けられている。第２保持枠１９には、その受け部３５に向けて第４レンズ群２７、第１間隔環２１、第５〜第７レンズ群２８〜３０が落とし込まれる。符号３３は、第２保持枠１９に設けられるフランジであり、このフランジ３３の前面（スクリーン側の面）３３ａが第１保持枠１８のフランジ３２の後面３２ａと当接される。
【００２２】
図２、又は図３に示すように、第３保持枠２０は、第２保持枠１９の後端（画像光形成部１７側）に取り付けられており、その略中央であって、かつ内に向けて突出した突出部３６が設けられている。この第３保持枠２０を第２保持枠１９の後端に取り付けると、第３保持枠２０に設けられた突出部３６が第７レンズ群３０に当接された状態で保持される。この第３保持枠２０には、レンズ収納部３７が設けられており、このレンズ収納部３７には、第８レンズ群３１が保持された円筒形状のレンズ枠２３が収納される。このレンズ収納部３７を形成する周壁３８には、例えば１２０°間隔で３個の開口３９が形成されており、この開口３９から例えばＵＶ接着剤等の接着剤４１が充填される。これにより、レンズ収納部３７を形成する周壁３８の内周面３８ａと、レンズ枠２３の外周面２３ａとが接着固定される。なお、この開口３９が設けられる数は３に限定されるものではなく、開口３９の数は４、或いは６であってもよい。このレンズ収納部３７の周壁３８の内周面３８ａの直径Ｄ１は、レンズ枠２３の外径Ｄ２よりも大きく形成されている。
【００２３】
図４は、第３保持枠２０に、第８レンズ群３１が保持されたレンズ枠２３を組み付ける固定装置５０の概略を示す説明図である。固定装置５０は、スクリーン５１と、第１保持枠１６を保持する第１治具（本願の第２の治具に相当）５２と、レンズ枠２３を保持する第２治具（本願の第１の治具に相当）５３と、プリズム５４、チャート５５、光源５６とから構成されている。
【００２４】
第１治具５２は、第１〜第３レンズ群２４〜２６と、第４〜第７レンズ群２７〜３０が保持された第２保持枠１９とが組み付けられた第１保持枠１８が固定される。この第１治具５２の面５２ａは基準面となっており、この基準面５２ａに第１保持枠１８のフランジ３２の後面３２ａが当接された状態で固定される。これにより、第１治具５２に第１保持枠１８が位置決め固定される。なお、第１保持枠１８の固定方法は、ネジ止め固定の他に、クリップ等の保持部材を用いた固定方法など適宜の方法で固定してよいものとする。この第１治具５２には開口５２ｂが形成されており、この開口５２ｂには、第１保持枠１８に保持される第２保持枠１９が挿通される。なお、符号５８は、第１治具５２が固定されるベース板である。
【００２５】
第２治具５３は、Ｌ字状のベース６０に、円筒形状の取付け具６１が組み付けられた構成となっている。この第２治具５３は位置調節機構６８を介してベース板５８に組み込まれており、位置調節機構６８により、光軸方向（図６中Ｘ軸方向）、及び光軸方向に直交する方向（図６中Ｙ軸方向、Ｚ軸方向）に移動することができるようになっている。この第２治具５３のベース６０には開口６０ａが形成されており、この開口６０ａの中心軸と取り付け具６１の中心軸とが同軸となるように、取り付け具６１がベース６０に組み付けられている。
【００２６】
上述したように、取り付け具６１は、両端が開口された円筒形状から構成されている。この取り付け具６１の後端側（光源側）には、ガラス板６２が組み付けられている。また、この取り付け具６１の先端側（スクリーン側）には、レンズ枠２３が嵌合される嵌合部６１ａが設けられている。この嵌合部６１ａは円環形状をしており、この嵌合部６１ａの外径Ｄ３は、レンズ枠２３の内径Ｄ４と同一、或いは内径Ｄ４よりも小さくなるように構成されている（図５参照）。
【００２７】
この取り付け具６１には、エア抜き用の配管６５が設けられている。この配管６５は、チューブ６６を介して真空ポンプ等の吸引装置６７に接続されており、この吸引装置６７による吸引を行うことで、嵌合部６１ａに嵌合されたレンズ枠２３を一定の姿勢で保持することが可能となる。
【００２８】
位置調整機構６８は、ＸＹＺステージ等から構成され、第２治具５３を光軸方向（図６に示すＸ軸方向）、或いは光軸方向に直交する方向（図６に示すＹ軸方向、或いはＺ軸方向）に移動させることで、第１保持枠１８と、第１保持枠１８に組み付けられる第２保持枠１９とにそれぞれ保持される第１〜第７レンズ群２４〜３０の光軸と、レンズ枠２３に保持された第８レンズ群３１の光軸とを一致させる調整や、第８レンズ群３１の光軸方向に対する位置の調整を行うために設けられている。この位置調整機構６８には例えば操作ダイヤル等の操作部６９が設けられており、この操作部６９を操作することによって第２治具５３を移動させることができる。
【００２９】
注入装置７０は、位置調整機構６８によって位置決めされたレンズ枠２３を第３保持枠２０に固定するための接着剤を第３保持枠２０の開口３９から注入する装置である。この注入装置７０は、例えば注入ノズル７１（図６参照）を備えており、この注入ノズル７１を開口３９に向けて移動させた後に、開口３９から接着剤４１を注入する。なお、接着剤としては、ＵＶ接着剤が用いられる。
【００３０】
プリズム５４は、チャート５５を透過することによって変換された画像光を第８レンズ群３１に向けて照射するために設けられている。チャート５５は例えば図柄やマークが露光されたフイルムから構成されている。光源５６からの照明光は、このチャート５５を透過することによって画像光に変換された後、第８レンズ群３１、第７レンズ群３０、・・・・第２レンズ群２５、第１レンズ群２４の順で透過し、スクリーン５１上に投影される。なお、チャートとして図柄やマークが露光されたフイルムの例を取り上げたが、これに限定する必要はなく、例えば透過型液晶表示パネルやガラス板を用いることも可能である。
【００３１】
次に、第８レンズ群３１が保持されたレンズ枠２３を、第３保持枠２０に固定する方法について説明する。第２保持枠１９に第４レンズ群２７、第１間隔環２１、第５〜第７レンズ群２８〜３０を組み付けた後、この第２保持枠１９を、第１〜第３レンズ群２４〜２６が保持された第１保持枠１８に組み付ける。その後、第１保持枠１８を第１治具５２に固定する。
【００３２】
図５に示すように、第８レンズ群３１が保持されるレンズ枠２３を、第２治具５３の取り付け具６１に設けられた嵌合部６１ａに組み付けた後、吸引装置６７を作動させる。組み付け具６１は両端が開口された円筒形状をしており、その光源５６側の端部をガラス板６２によって遮蔽され、また、スクリーン５１側の端部に設けられた嵌合部６１ａに第８レンズ群３１が保持されるレンズ枠２３が嵌合されるので、吸引装置６７が作動すると、取り付け具６１の内部の空気が吸引され、第８レンズ群３１が取り付け具６１に対して一定の姿勢で保持されることになる。
【００３３】
第８レンズ群３１が吸引保持された第２治具５３を第１治具５２に向けて移動させ、第８レンズ群３１を第３保持枠２０の収納部３７に挿入する。このとき、レンズ収納部３７の周壁３８の内径Ｄ１は、第８レンズ群３１を保持するレンズ枠２３の外径Ｄ２よりも大きいので、第３保持枠２０のレンズ収納部３７に挿入されたレンズ枠２３は、レンズ収納部３７を形成する周壁３８には当接していない。この状態で、光源５６を点灯させる。光源５６を点灯させることで、その照射光が、チャート５５に向けて照射される。チャート５５は、例えば図柄やマークが露光されたフイルムから構成されているので、このチャート５５を透過する照射光は画像光に変換される。
【００３４】
その後、画像光は、プリズム５４を透過した後、取り付け具６１の光源５６側の端部に組み付けられたガラス板６２を透過し、第８レンズ群３１、第７レンズ群３０、・・・・第２レンズ群２５、第１レンズ群２４を透過して、スクリーン５１上に投影される。作業者はスクリーン５１に投影される画像を視認しながら、操作部６９を操作して第８レンズ群３１の位置調整を行う。このとき、操作部６９を操作することで、第２治具５３が、Ｘ軸方向（図６中Ａ方向、或いはＢ方向）、Ｙ軸方向（図６中Ｃ方向、又はＤ方向）、Ｚ軸方向（図６中Ｅ方向、又はＦ方向）に移動させる。なお、この位置調整においては、レンズ枠２３が第３保持枠２０のレンズ収納部３７を形成する周壁の内周面３８ａに当接しない範囲で、第８レンズ群３１の位置調整を実行する。
【００３５】
この位置調整を行って、スクリーン５１に投影される画像が許容範囲内となる場合には、光源５６を消灯させる。例えば第８レンズ群３１は、偏心調整レンズとして用いられるので、この第８レンズ群３１の位置調整を行うことで、スクリーンに投影される画像の像面湾曲を抑制することができる。この状態で、注入装置７０の注入ノズル７１を開口に向けて移動させ、第３保持枠２０の開口３９からＵＶ接着剤を注入し、レンズ枠２３とレンズ収納部３７を形成する周壁３８との間に設けられた隙間に接着剤４１を充填する。その後、充填させた接着剤４１を硬化させる。これにより、レンズ鏡筒１６が完成する。完成したレンズ鏡筒１６は、プロジェクタユニット１２に組み込まれる。
【００３６】
本実施形態では、第２治具を図６に示すＸ軸方向、Ｙ軸方向、Ｚ軸方向の少なくとも１方向に移動させて、第８レンズ群の位置調整を行うようにしたが、この他に、例えばＸ軸、Ｙ軸、Ｚ軸のいずれかの軸を中心にして回転させることも可能である。このようにすることで、位置調整の他に、倒れ調整を行うことも可能となる。
【００３７】
本実施形態では、レンズ枠は円筒形状としか記載していないが、例えばレンズ枠の外周面に、接着剤を充填するための溝や凹部が設けられていてもよい。このように、レンズ枠の外周面に溝や凹部を設けることで、接着剤を充填させる面積を稼ぐことができるので、レンズ枠と、第３保持枠との固定を強固にすることができる。
【００３８】
本実施形態では、レンズ枠に保持されたレンズをレンズ保持枠に接着固定する形態を例に取り上げたが、これに限定する必要はなく、例えば、レンズを直接レンズ保持枠に接着固定する場合にも、本発明を適応することができる。
【００３９】
本実施形態では、リアプロジェクタの例を挙げて説明したが、この他に、スクリーンの前面側から画像を投影するプロジェクタや、デジタルカメラや銀塩カメラに用いるレンズ鏡筒に本発明を用いることができる。また、本実施形態では、第８レンズ群について説明しているが、これに限定されるものでないことは言うまでもない。
【図面の簡単な説明】
【００４０】
【図１】リアプロジェクタの内部構成を示す概略図である。
【図２】プロジェクタユニットの構成を示す断面図である。
【図３】第３保持枠近傍を示す断面図である。
【図４】固定装置の概略を示す断面図である。
【図５】第２治具とレンズ枠との関係を示す斜視図である。
【図６】位置調整時の第２治具の調整方向を示す斜視図である。
【符号の説明】
【００４１】
１０  リアプロジェクタ
１２  プロジェクタユニット
１６  レンズ鏡筒
１８  第１保持枠
１９  第２保持枠
２０  第３保持枠
２３  レンズ枠
３１  第８レンズ群
５０  固定装置
５１  スクリーン
５２  第１治具
５３  第２治具
５５  チャート
５６  光源
６７  吸引装置
６８  位置調整機構
６９  操作部
７０  注入装置
【図１】
2007155761.tif 000003
【図２】
2007155761.tif 000004
【図３】
2007155761.tif 000005
【図４】
2007155761.tif 000006
【図５】
2007155761.tif 000007
【図６】
2007155761.tif 000008